(57)【特許請求の範囲】
【請求項１】
外縁部を有したスクリーンと、
案内方向に沿って延び、前記外縁部を前記案内方向に沿って案内する案内レールとを備え、
前記案内レールは、
前記外縁部の通過を許容する案内位置と、前記外縁部を抜け止めする抜け止め位置とに変位可能に構成された第１抜け止め部であって、前記案内レールから抜ける方向に移動する前記外縁部の移動を受けて前記案内位置から前記抜け止め位置へ変位する前記第１抜け止め部と、
前記第１抜け止め部と対向する位置において、前記案内レールから抜ける方向に移動する前記外縁部に接触する第２抜け止め部とを備え、
前記第１抜け止め部と前記第２抜け止め部とから挟持部が構成され、
前記挟持部は、
前記案内レールから抜ける方向に移動する前記外縁部と接触し、前記外縁部との摩擦によって前記外縁部を保持する保持部と、
前記外縁部に向けて突出する凸構造であって、前記第１抜け止め部が前記抜け止め位置に変位することによって、前記保持部が凸構造によって変形されて前記外縁部と圧接させる前記凸構造とを備え、
前記第１抜け止め部は、前記保持部を備え、前記案内レールから抜ける方向に移動する前記外縁部を前記保持部が保持することによって、前記抜け止め位置まで移動するように構成され、さらに、前記保持部が位置決めされて取り付けられる取付凹部を備える
るロールスクリーン。
【請求項２】
前記第２抜け止め部は、前記凸構造を備え、前記第１抜け止め部が前記抜け止め位置に変位することによって、前記保持部と前記凸構造とを対向させるように構成されている
請求項１に記載のロールスクリーン。
【請求項３】
前記第１抜け止め部は、前記案内レールから抜ける方向に移動する前記外縁部の移動を受ける入力部であって、前記外縁部と対向する前記入力部をさらに備え、
前記第１抜け止め部が前記案内位置に配置されているとき、前記保持部は、前記外縁部
から離れている
請求項１または２に記載のロールスクリーン。
【請求項４】
前記取付凹部は、前記入力部に対して連続して設けられ、
前記取付凹部に取り付けられた前記保持部の表面は、前記入力部の外周面に対して低い位置に位置し、
前記保持部の表面と前記入力部の外周面との間には、段差を備えている
請求項３に記載のロールスクリーン。
【請求項５】
前記入力部が硬質体であり、かつ、前記保持部が軟質体である
請求項３または４に記載のロールスクリーン。
【請求項６】
前記第１抜け止め部は、前記案内位置と前記抜け止め位置との間において、揺動軸を中心とした揺動を可能にした揺動体である
請求項１から５のうちいずれか一項に記載のロールスクリーン。
【請求項７】
前記揺動軸が硬質体であり、かつ、前記保持部が軟質体である
請求項６に記載のロールスクリーン。
【請求項８】
前記第１抜け止め部が前記案内位置に位置している状態において、前記第１抜け止め部と前記第２抜け止め部との間に、前記外縁部が案内方向に移動可能な案内通路をさらに備える
請求項１から７のうちいずれか一項に記載のロールスクリーン。
【請求項９】
前記保持部は、
テープ基材と、
前記テープ基材に設けられ、前記摩擦を発現させる摩擦面を有した弾性体と
から構成される
請求項１から８のいずれか一項に記載のロールスクリーン。
【請求項１０】
前記保持部は、シリコーン樹脂、または、ゴムを含む
請求項１から８のうちいずれか一項に記載のロールスクリーン。
【請求項１１】
前記保持部は、基材に、シリコーン樹脂を塗布して構成されている
請求項１０に記載のロールスクリーン。
【請求項１２】
前記基材は、テープ状の基材であり、
前記シリコーン樹脂は、前記テープ状の基材の前記外縁部と対向する面にシリコーン樹脂が塗布されている
請求項１１に記載のロールスクリーン。
【請求項１３】
前記外縁部には、樹脂コーティングが施されている
請求項１から１２のうちいずれか一項に記載のロールスクリーン。
【請求項１４】
前記樹脂コーティングは、ポリ塩化ビニルのコーティングである
請求項１３に記載のロールスクリーン。
【請求項１５】
スクリーンの案内方向に沿って延び、前記スクリーンの外縁部を前記案内方向に沿って案内する案内レールであって、
前記案内レールは、前記案内レールから抜ける方向に移動する前記外縁部に接触する抜
け止め部を備え、
前記抜け止め部は、
前記案内レールから抜ける方向に移動する前記外縁部と接触し、前記外縁部との摩擦によって前記外縁部を保持する保持部を備え、
前記案内レールから抜ける方向に移動する前記外縁部を前記保持部が保持することによって、前記外縁部の抜け止め位置まで移動するように構成され、
さらに、前記保持部が位置決めされて取り付けられる取付凹部を備える
案内レール。
【請求項１６】
スクリーンの案内方向に沿って延び、前記スクリーンの外縁部を前記案内方向に沿って案内する案内レールに取り付けられ、前記案内レールから抜ける方向に移動する前記外縁部に接触する抜け止め部材であって、
前記抜け止め部材は、前記外縁部の通過を許容する案内位置と、前記外縁部を抜け止めする抜け止め位置とに変位可能に構成され、
前記案内レールから抜ける方向に移動する前記外縁部と接触し、押圧による変形と前記外縁部との摩擦によって前記外縁部を保持する保持部と、
前記保持部が位置決めされて取り付けられる取付凹部とを備える
抜け止め部材。
【請求項１７】
前記案内レールから抜ける方向に移動する前記外縁部の移動を受ける入力部であって、前記外縁部と対向する前記入力部をさらに備える
請求項１６に記載の抜け止め部材。
【請求項１８】
前記案内位置と前記抜け止め位置との間において、揺動を可能にする揺動軸をさらに備える
請求項１６または１７に記載の抜け止め部材。
【発明の詳細な説明】
【技術分野】
【０００１】
本発明は、スクリーンの移動を案内する案内レールを備えたロールスクリーン、案内レール、および、抜け止め部材に関する。
【背景技術】
【０００２】
ロールスクリーンにおいて巻き取り軸に巻き取られたスクリーンは、スクリーンの引き出し操作によって下降し、また、巻き取り軸から引き出されたスクリーンは、スクリーンの巻き取り操作によって上昇する。ロールスクリーンが備える案内レールは、スクリーンが昇降する方向である昇降方向に沿って延びる形状を有し、巻き取り軸から引き出されたスクリーンの外縁部は、案内レールの内側に入り込む。スクリーンが下降するとき、および、スクリーンが上昇するときの各々において、スクリーンの外縁部は案内レールに沿って移動し、スクリーンは昇降方向に沿って案内される（例えば、特許文献１参照）。
【先行技術文献】
【特許文献】
【０００３】
【特許文献１】特開平９−１４４４５０号公報
【発明の概要】
【発明が解決しようとする課題】
【０００４】
ところで、引き出されたスクリーンに、手などで押されて外力が作用したときには、案内レールに入っていたスクリーンの外縁部が案内レールから外れてしまい、それ以降のスクリーンが案内レールによって案内されなくなることがある。このような場合において、案内レールから一度抜けたスクリーンを案内レールに復帰させるためには、案内レールから外れたスクリーンをスクリーンが折れ曲がらないように巻き取り軸に巻き取ること、巻き取り軸に巻き取られたスクリーンの外縁部を再度案内レールに入れることなどが求められるが、これらの作業は容易ではない。
【０００５】
本発明の目的は、スクリーンの外縁部が案内レールから外れることを抑えるロールスクリーン、案内レール、および、抜け止め部材を提供することである。
【課題を解決するための手段】
【０００６】
上記課題を解決するためのロールスクリーンは、外縁部を有したスクリーンと、案内方向に沿って延び、前記外縁部を前記案内方向に沿って案内する案内レールとを備える。前記案内レールは、前記外縁部の通過を許容する案内位置と、前記外縁部を抜け止めする抜け止め位置とに変位可能に構成された第１抜け止め部であって、前記案内レールから抜ける方向に移動する前記外縁部の移動を受けて前記案内位置から前記抜け止め位置へ変位する前記第１抜け止め部と、前記第１抜け止め部と対向する位置において、前記案内レールから抜ける方向に移動する前記外縁部に接触する第２抜け止め部とを備える。前記第１抜け止め部と前記第２抜け止め部とから挟持部が構成され、前記挟持部は、前記案内レールから抜ける方向に移動する前記外縁部と接触し、前記外縁部との摩擦によって前記外縁部を保持する保持部と、前記外縁部に向けて突出する凸構造であって、前記第１抜け止め部が前記抜け止め位置に変位することによって、前記保持部が凸構造によって変形されて前記外縁部とを圧接させる前記凸構造とを備える。
【０００７】
上記ロールスクリーンにおいて、前記第１抜け止め部は、前記保持部を備え、前記案内レールから抜ける方向に移動する前記外縁部を前記保持部が保持することによって、前記抜け止め位置まで移動するように構成されていてもよい。
【０００８】
上記ロールスクリーンにおいて、前記第２抜け止め部は、前記凸構造を備え、前記第１抜け止め部が前記抜け止め位置に変位することによって、前記保持部と前記凸構造とを対向させるように構成されていてもよい。
【０００９】
上記ロールスクリーンにおいて、前記第１抜け止め部は、前記案内レールから抜ける方向に移動する前記外縁部の移動を受ける入力部であって、前記外縁部と対向する入力部をさらに備えていてもよい。この場合、前記第１抜け止め部が前記案内位置に配置されているとき、前記保持部は、前記外縁部から離れている。
【００１０】
上記ロールスクリーンにおいて、前記第１抜け止め部は、前記入力部に対して連続して前記保持部が位置決めされて取り付けられる取付凹部を備えていてもよい。この場合、前記取付凹部に取り付けられた前記保持部の表面は、前記入力部の外周面に対して低い位置に位置し、前記保持部の表面と前記入力部の外周面との間には、段差を設けてもよい。
【００１１】
上記ロールスクリーンにおいて、前記入力部を硬質体で構成し、かつ、前記保持部を軟質体で構成してもよい。
上記ロールスクリーンにおいて、前記第１抜け止め部は、前記案内位置と前記抜け止め位置との間において、揺動軸を中心とした揺動を可能にした揺動体で構成してもよい。
【００１２】
上記ロールスクリーンにおいて、前記揺動軸を硬質体で構成し、かつ、前記保持部を軟質体で構成してもよい。
前記ロールスクリーンにおいて、前記第１抜け止め部が案内位置に位置している状態において、前記第１抜け止め部と前記第２抜け止め部との間に、前記外縁部が案内方向に移動可能な案内通路をさらに備えるようにしてもよい。
【００１３】
また、上記課題を解決するためのロールスクリーンは、外縁部を有したスクリーンと、案内方向に沿って延び、前記外縁部を前記案内方向に沿って案内する案内レールと、少なくとも、前記外縁部、または、前記案内レールの一方に取り付けられる保持部と、前記外縁部、および、前記案内レールのうちで、前記一方の保持部が取り付けられた前記外縁部、または、前記案内レール以外であって、前記一方の保持部と対向して位置する接触対象とを備える。前記一方の保持部と前記接触対象とは、前記案内レールから抜ける方向に移動する前記外縁部を摩擦によって、前記外縁部を前記案内レールに保持させる。なお、前記一方の保持部が取り付けられた前記外縁部、または、前記案内レール以外の前記外縁部、または、前記案内レールにも、保持部を設けるようにしてもよい。
【００１４】
また、上記課題を解決するためのロールスクリーンは、外縁部を有したスクリーンと、案内方向に沿って延び、前記外縁部を前記案内方向に沿って案内する案内レールと、前記案内レールから抜ける方向に移動する前記外縁部と接触する抜け止め部と、少なくとも、前記外縁部、または、前記抜け止め部の一方に取り付けられる保持部と、前記外縁部、および、前記抜け止め部のうちで、前記一方の保持部が取り付けられた前記外縁部、または、前記抜け止め部以外であって、前記一方の保持部と対向して位置する接触対象とを備える。前記一方の保持部と前記接触対象とは、前記案内レールから抜ける方向に移動する前記外縁部を摩擦によって、前記外縁部を前記案内レールに保持させる。なお、前記一方の保持部が取り付けられた前記外縁部、または、前記抜け止め部以外の前記外縁部、または、前記抜け止め部にも、保持部を設けるようにしてもよい。
【００１５】
また、上記課題を解決するためのロールスクリーンは、外縁部を有したスクリーンと、案内方向に沿って延び、前記外縁部を前記案内方向に沿って案内する案内レールと、前記案内レールから抜ける方向に移動する前記外縁部と接触する抜け止め部と、少なくとも、前記案内レール、または、前記抜け止め部の一方に取り付けられる保持部と、前記案内レール、および、前記抜け止め部のうちで、前記一方の保持部が取り付けられた前記案内レール、または、前記抜け止め部以外であって、前記一方の保持部と対向して位置する接触対象とを備える。前記一方の保持部と前記接触対象とは、前記案内レールから抜ける方向に移動する前記外縁部を摩擦によって、前記外縁部を前記案内レールに保持させる。なお、前記一方の保持部が取り付けられた前記案内レール、または、前記抜け止め部以外の前記案内レール、または、前記抜け止め部にも、保持部を設けるようにしてもよい。
【００１６】
上記ロールスクリーンにおいて、前記保持部は、テープ基材と、前記テープ基材に設けられ、前記摩擦を発現させる摩擦面を有した弾性体とから構成されるようにしてもよい。
上記ロールスクリーンにおいて、前記保持部は、シリコーン樹脂、または、ゴムを含むように構成してもよい。
【００１７】
上記ロールスクリーンにおいて、前記保持部は、基材に、シリコーン樹脂を塗布して構成してもよい。
上記ロールスクリーンにおいて、前記基材は、テープ状の基材であり、前記シリコーン樹脂は、前記テープ基材の前記外縁部と対向する面にシリコーン樹脂を塗布して構成してもよい。
【００１８】
上記ロールスクリーンにおいて、前記外縁部には、樹脂コーティングを施してもよい。
上記ロールスクリーンにおいて、前記樹脂コーティングは、ポリ塩化ビニルのコーティングであってもよい。
【００１９】
また、上記課題を解決するための案内レールは、スクリーンの案内方向に沿って延び、前記スクリーンの外縁部を前記案内方向に沿って案内する案内レールであって、前記案内レールは、前記案内レールから抜ける方向に移動する前記外縁部に接触する抜け止め部を備える。前記抜け止め部は、抜ける方向に移動する前記外縁部と接触し、前記外縁部との摩擦と変形によって前記外縁部を保持する保持部を備えている。
【００２０】
また、上記課題を解決するための抜け止め部材は、スクリーンの案内方向に沿って延び、前記スクリーンの外縁部を前記案内方向に沿って案内する案内レールに取り付けられ、前記案内レールから抜ける方向に移動する前記外縁部に接触する抜け止め部材であって、前記抜け止め部材は、前記外縁部の通過を許容する案内位置と、前記外縁部を抜け止めする抜け止め位置とに変位可能に構成され、前記案内レールから抜ける方向に移動する前記外縁部と接触し、押圧による変形と前記外縁部との摩擦によって前記外縁部を保持する保持部を備える。
【００２１】
上記ロールスクリーンにおいて、前記案内レールから抜ける方向に移動する前記外縁部の移動を受ける入力部であって、前記外縁部と対向する入力部を備えていてもよい。
また、上記ロールスクリーンにおいて、前記案内位置と前記抜け止め位置との間において、揺動を可能にする揺動軸を備えていてもよい。
【発明の効果】
【００２２】
本発明のロールスクリーンによれば、スクリーンの外縁部が案内レールから外れることを抑えられる。
【図面の簡単な説明】
【００２３】
【図１】本開示のロールスクリーンにおける一実施形態のロールスクリーンについて正面構造を示す正面図である。
【図２】一実施形態における案内レールの斜視構造の一部を拡大して示す斜視図である。
【図３】一実施形態における案内レールが備える下部キャップの斜視構造を示す斜視図である。
【図４】一実施形態における案内レールの内部構造を示す上面図である。
【図５】一実施形態における案内レールの内部構造の一部を拡大して示す上面図であって、前側通路形成部を主に示す図である。
【図６】一実施形態における案内レールの内部構造の一部を拡大して示す上面図であって、凸部がカム部に設けられた抜け止めレバーの構成を説明する図である。
【図７】一実施形態における案内レールの内部構造の一部を拡大して示す上面図であって、保持部材がカム部に設けられた抜け止めレバーの構成を説明する図である。
【図８】一実施形態における案内レールの作用を示す作用図であって、抜け止めレバーが作動する前の状態を示す図である。
【図９】一実施形態における案内レールの作用を示す作用図であって、抜け止めレバーが作動した後の状態を示す図である。
【図１０】変形例における復帰部が設けられた下部キャップの斜視構造を示す斜視図である。
【図１１】復帰部を設けた変形例における案内レールの作用を示す作用図であって、抜け止めレバーが作動する前の状態を示す図である。
【図１２】復帰部を設けた変形例における案内レールの作用を示す作用図であって、抜け止めレバーが作動した後の状態を示す図である。
【図１３】変形例における案内レールの内部構造の一部を拡大して示す上面図であって、抜け止めレバーがストッパに当接した状態を示す図である。
【図１４】変形例における案内レールの内部構造の一部を拡大して示す上面図であって、抜け止めレバーが抜け止め位置に位置する状態を示す図である。
【図１５】変形例における案内レールの内部構造の一部を拡大して示す上面図であって、２つの抜け止めレバーの各々に、保持部材と凸部を設けた状態を示す図である。
【図１６】変形例における案内レールの内部構造の一部を拡大して示す上面図であって、２つの抜け止めレバーのうち、一方の抜け止めレバーを固定にした状態を示す図である。
【図１７】変形例における案内レールの内部構造の一部を拡大して示す上面図であって、スリットに保持部材を設けた状態を示す図である。
【図１８】変形例における案内レールの内部構造の一部を拡大して示す上面図であって、スクリーンの外縁部に保持部材を設けた状態を示す図である。
【図１９】変形例における案内レールの内部構造を示す上面図であって、抜け止め曲板をスリットに設けた例を示す図である。
【図２０】変形例における案内レールの内部構造を示す上面図であって、抜け止めカムをスリットに設けた例を示す図である。
【発明を実施するための形態】
【００２４】
本開示におけるロールスクリーンを具体化した一実施形態におけるロールスクリーンを図１から図１８を参照して説明する。
［ロールスクリーンの構成］
図１が示すように、ロールスクリーンが備える枠体１１は、左右方向に沿って延びる巻き取り軸１２を回転できる状態で支持している。巻き取り軸１２は、帯形状を有するスクリーン１３の上端部を巻き取り軸１２の軸線方向に沿って支持している。スクリーン１３は、スクリーン１３を構成する帯形状の布に対して、全体が耐久性を向上させるために、ポリ塩化ビニル等の軟質の樹脂材料によって、樹脂コーティングが施されている。スクリーン１３の下端部は、巻き取り軸１２の外周面から離れて、昇降方向の一例である鉛直方向の下側に向かって自重によって垂れ下がっている。スクリーン１３の下端部は、左右方向に沿って延びるウェイトバー１４を有する。ウェイトバー１４は、スクリーン１３の位置を昇降方向に沿って安定させる。なお、スクリーン１３の下端部がウェイトバー１４を有する構成においては、ウェイトバー１４の左右方向に沿った長さＬＷが、スクリーン１３の左右方向に沿った長さＬＳよりも短い。
【００２５】
巻き取り軸１２は、巻き取り軸１２を回転させる回転機構によって回転される。例えば、回転機構は、スプリングモータを備え、また、ウェイトバー１４を自由な高さに止めることができるフリーストップ機構を備えている。スクリーン１３の下端部の中央部には、ウェイトバー１４の昇降操作を行うハンドル１５が取り付けられている。さらに、ハンドル１５には、プルコード１６が垂下されている。ウェイトバー１４は、プルコード１６をもって降下させることもできる。ウェイトバー１４は、スクリーン１３の下端部の中央部に配置されたハンドル１５を用いて昇降することができ、また、プルコード１６を引っ張って降下される。ウェイトバー１４の下端には、ダンパ１４Ｄが設けられている。ダンパ１４Ｄは、ウェイトバー１４が降下されスクリーン１３が全閉状態になったとき、窓枠等を構成するフレーム１９の下部フレーム１９Ａと接触し部屋外から部屋内への漏光を抑制する。
【００２６】
左右方向における巻き取り軸１２の両端部の下側には、昇降方向に沿って延びる左右一対の案内レール２１が立てられている。左右一対の案内レール２１の各々は、スクリーン１３の前側に位置する前側案内壁２１Ｆと、スクリーン１３の後側に位置する後側案内壁２１Ｂとを備えている。前側案内壁２１Ｆ、および、後側案内壁２１Ｂは、前側案内壁２１Ｆと後側案内壁２１Ｂとの間に案内開口Ｇを区画している。案内開口Ｇには、スクリーン１３の外縁部１３Ｅが入り込んでいる。巻き取り軸１２がスクリーン１３の巻取り方向に回転して、スクリーン１３の全てが案内レール２１から離れるとき、スクリーン１３の下側端辺は、案内レール２１の上側まで引き上げられる。この状態から、巻き取り軸１２がスクリーン１３の引き出し方向に回転して、スクリーン１３の下側端辺が下がるとき、スクリーン１３の外縁部１３Ｅは、案内開口Ｇに入り込む。
【００２７】
なお、案内開口Ｇは、ガイドフレーム２３Ｍの内部に収容される部材の状態をガイドフレーム２３Ｍの外部から変更可能にするメンテナンス用の開口でもある。
図２が示すように、案内レール２１は、昇降方向からみてコ字形状を有するガイドフレーム２３Ｍと、案内レール２１の下端部を構成する板状を有した下部キャップ３０とを備えている。ガイドフレーム２３Ｍは、上述した前後一対の前側案内壁２１Ｆと後側案内壁２１Ｂとを備え、ガイドフレーム２３Ｍの下端部は、下部キャップ３０に閉塞されている。ガイドフレーム２３Ｍにおいて、前側案内壁２１Ｆの内側面、および、後側案内壁２１Ｂの内側面の各々には、昇降方向に沿って延びる嵌合凹部２１Ｈが形成されている。
【００２８】
ガイドフレーム２３Ｍの前側案内壁２１Ｆと後側案内壁２１Ｂとを繋ぐ面は、窓枠等に設けられるレールベース１７への取り付け面とされる。レールベース１７の後側案内壁２１Ｂ側には、レールベース１７のベース面に対してほぼ垂直な断面コ字形状を有する保持溝１７Ｂが形成されている。後側案内壁２１Ｂの下端には、保持溝１７Ｂに挿入される保持片１８Ｂが後側案内壁２１Ｂとほぼ平行に形成されている。また、レールベース１７の前側案内壁２１Ｆ側には、レールベース１７のベース面とほぼ平行な断面コ字形状を有する係合溝１７Ｆが形成されている。また、前側案内壁２１Ｆの下端には、係合溝１７Ｆに挿入される係合片１８Ｆが前側案内壁２１Ｆに対してほぼ垂直に形成されている。
【００２９】
図３が示すように、下部キャップ３０は、案内通路２１Ｇの下端部を閉塞する閉塞部３２を備えている。この閉塞部３２は、ガイドフレーム２３Ｍを支持する支持面３０Ｓを備えている。支持面３０Ｓには、２つの差し込み孔３０Ｈが形成され、２つの差し込み孔３０Ｈの各々には、昇降方向に沿って延びる嵌合ピンＰ１が差し込まれている。２つの嵌合ピンＰ１の各々は、ガイドフレーム２３Ｍに形成された嵌合凹部２１Ｈに嵌め込まれ、下部キャップ３０をガイドフレーム２３Ｍに固定する。こうした下部キャップ３０は、ガイドフレーム２３Ｍと一体に形成され、これらが１つのフレームとして構成されてもよい。
【００３０】
また、閉塞部３２の支持面３０Ｓより低い位置には、ウェイトバー１４が最下位置まで降下した際に、ウェイトバー１４の端部を支持する底壁３３が形成されている。また、底壁３３には、前側案内壁２１Ｆ、および、後側案内壁２１Ｂと平行な前側支持片３４Ｆ、および、後側支持片３４Ｂとが立てられている。また、前側支持片３４Ｆ、および、後側支持片３４Ｂの支持面３０Ｓ側の側縁は、それぞれ切欠部３５を構成している。各切欠部３５には、前側案内壁２１Ｆと後側案内壁２１Ｂの端部が嵌合される。ウェイトバー１４が最下位置に位置するとき、ウェイトバー１４の両端部は、底壁３３に当接され、更に、前側支持片３４Ｆと後側支持片３４Ｂとに挟み込まれることによって、下部キャップ３０に支持される。
【００３１】
図４が示すように、ガイドフレーム２３Ｍは、案内開口Ｇの幅方向の中間を通る仮想鉛直面ＰＶに対して、互いに面対称となる形状を有している。以下では、前側案内壁２１Ｆの内側に構成される前側通路形成部の構成を詳細に説明し、前側通路形成部と構成の異なる部分を除いて、後側案内壁２１Ｂの内側に構成される後側通路形成部については、前側通路形成部と重複する構成の説明を省略する。なお、仮想鉛直面ＰＶは、スクリーン１３の位置と一致する面である。
【００３２】
ガイドフレーム２３Ｍは、昇降方向に沿って延びる規制部の一例である軸支片２３Ｌを備えている。軸支片２３Ｌは、昇降方向と直交する断面において優弧形状を有している。軸支片２３Ｌは、昇降方向に沿って延びる回転軸を中心として、第２抜け止め部の一例であり、揺動体の一例である抜け止めレバー２７Ｆを揺動可能な状態で支持している。抜け止めレバー２７Ｆは、抜け止めレバー２７Ｂとで、外縁部１３Ｅを挟持する挟持部を構成する。抜け止めレバー２７Ｆは、硬質の樹脂材料で成形され、硬質体で構成されている。また、軸支片２３Ｌは、昇降方向に沿って昇降可能な状態で抜け止めレバー２７Ｆを支持している。ガイドフレーム２３Ｍの内部には、抜け止めレバー２７Ｆが昇降方向に沿って昇降することを可能にした空間が抜け止めレバー２７Ｆの上方に形成されている。
【００３３】
図５が示すように、外縁部１３Ｅに対して前側案内壁２１Ｆ側に位置する抜け止めレバー２７Ｆは、出力部２４と入力部２６とを備えている。出力部２４は、軸部２４Ａとカム部２４Ｃとを備えている。軸部２４Ａは、昇降方向に沿って延びる円柱状を有し、昇降方向に沿って延びる揺動軸Ｃを中心として揺動可能な状態で、軸支片２３Ｌに遊嵌されている。揺動軸Ｃは、入力部２６や出力部２４と同様、硬質の樹脂材料で成形され、硬質体で構成されている。カム部２４Ｃは、軸部２４Ａから後側案内壁２１Ｂ側に向かって広がる扇形状の断面を有している。そして、カム部２４Ｃには、先端形状が鋭角形状の３つの凸部２５Ａ，２５Ｂ，２５Ｃが形成されている。
【００３４】
カム部２４Ｃと軸支片２３Ｌとの間には、軸部２４Ａの周方向に沿って隙間が形成されている。カム部２４Ｃと軸支片２３Ｌとが形成する隙間は、揺動軸Ｃを中心とした中心角として揺動角θを有する空間である。カム部２４Ｃにおける左側端面と軸支片２３Ｌとは、図５に示される状態において当接し、出力部２４における左回りの移動は、カム部２４Ｃの左側端面と軸支片２３Ｌとの当接によって規制される。また、出力部２４における右回りの移動は、図５が示される状態から揺動角θの範囲内において許容され、カム部２４Ｃにおける右側端面と軸支片２３Ｌとの当接によって規制される。
【００３５】
カム部２４Ｃの取り得る位置のなかで、カム部２４Ｃの左側端面と軸支片２３Ｌとが当接する位置が案内位置である。これに対して、抜け止めレバー２７Ｆの取り得る位置のなかで、カム部２４Ｃの右側端面と軸支片２３Ｌとが当接する位置が抜け止め位置である。カム部２４Ｃの外周面において最も入力部２６に近い凸部２５Ａの頂点部分は、抜け止めレバー２７Ｆにおいてスクリーン１３と対向する部分である対向部分Ｔである。抜け止めレバー２７Ｆにおける対向部分Ｔは、揺動軸Ｃを中心として出力部２４が揺動するたびに、カム部２４Ｃを変位する。
【００３６】
図６が示すように、カム部２４Ｃには、揺動軸Ｃを中心とする周方向に沿って３つの凸部２５Ａ，２５Ｂ，２５Ｃが並んでいる。３つの凸部２５Ａ，２５Ｂ，２５Ｃの各々は、揺動軸Ｃを中心とする仮想円ＣＲの径方向に沿って突出している。３つの凸部のなかで入力部２６に最も近い凸部は、１段目の凸部２５Ａであり、入力部２６から最も離れた凸部は、３段目の凸部２５Ｃであり、凸構造の一例である。１段目の凸部２５Ａと３段目の凸部２５Ｃとの間に位置する凸部は、２段目の凸部２５Ｂである。３つの凸部の各々の先端と揺動軸Ｃとの間の距離であるカム径Ｒは、３つの凸部のなかで入力部２６に近い１段目の凸部２５Ａほど小さい。最も小さいカム径Ｒを有する１段目の凸部２５Ａは、カム径Ｒとして案内径ＲＧを有している。
【００３７】
カム部２４Ｃが上述した案内位置に位置するとき、対向部分Ｔは１段目の凸部２５Ａの先端であって、対向部分Ｔと揺動軸Ｃとの間の距離は、カム径Ｒのなかで最小値である案内径ＲＧを有する。これに対して、カム部２４Ｃが上述した抜け止め位置に位置するとき、対向部分Ｔは３段目の凸部２５Ｃの先端であって、対向部分Ｔと揺動軸Ｃとの間の距離はカム径Ｒのなかで最大値を有する。
【００３８】
なお、抜け止めレバー２７Ｆの出力部２４の有する形状は、スクリーン１３の縁１３Ｋに近い部位ほど、カム径Ｒに相当する外径が大きく、かつ、外周面が外縁部１３Ｅを押圧できる形状であれば、例えば、平滑面であってもよいし、平坦面であってもよい。さらに、出力部２４の外周面においてスクリーン１３の縁１３Ｋに近い部位ほど、出力部２４の外周面とスクリーン１３との間の摩擦力が高まる構成であれば、例えば、カム径Ｒは揺動軸Ｃの周方向において一定であってもよい。
【００３９】
図７が示すように、外縁部１３Ｅに対して後側案内壁２１Ｂ側に位置する抜け止めレバー２７Ｂは、第１抜け止め部の一例であり、抜け止めレバー２７Ｆとで、外縁部１３Ｅを挟持する挟持部を構成する。抜け止めレバー２７Ｂは、抜け止めレバー２７Ｆと比較して、カム部２４Ｃの構成が異なっている。抜け止めレバー２７Ｂは、抜け止めレバー２７Ｆのカム部２４Ｃに相当する部分が、軸部２４Ａから前側案内壁２１Ｆ側に向かって広がる扇形状の断面を有している。カム部２４Ｃの部位は、保持部を構成する保持部材２８が取り付けられる取付凹部２９が備えられている。取付凹部２９は、保持部材２８が取り付けられ、保持部材２８の位置決め部となり、取り付け位置がずれないようにする。取付凹部２９は、抜け止めレバー２７Ｆの３つの凸部２５Ａ，２５Ｂ，２５Ｃとほぼ対向する位置に設けられている。取付凹部２９の底面は、平坦に形成され、テープ状の保持部材２８が取り付けられる。
【００４０】
保持部材２８は、布などの柔軟なテープ基材２８Ａと、テープ基材２８Ａに塗布されたシリコーン樹脂等の弾性体２８Ｂとで構成されている。保持部材２８は、テープ基材２８Ａに弾性体２８Ｂを塗布する構成とすることで、弾性体２８Ｂだけのときより柔らかく、弾性特性が高められている。このように構成された保持部材２８は、取付凹部２９が硬質ポリ塩化ビニル等の硬質樹脂材料で成形された硬質体であるに対して、シリコーン樹脂や布で構成された高い摩擦係数を有する軟質体で構成され、外縁部１３Ｅとの摩擦を発現させる。
【００４１】
このような保持部材２８は、接着剤や両面テープ等によって、取付凹部２９の底面に固定される。取付凹部２９の深さは、保持部材２８の厚さより深く形成されている。保持部材２８が取付凹部２９に取り付けられたとき、保持部材２８の表面は、入力部２６の外周面に対して１段低く、保持部材２８の表面と入力部２６の外周面との間には、段差２９Ａが形成される。
【００４２】
こうした保持部材２８の構成によれば、抜け止めレバー２７Ｂが案内位置に位置しているときに、スクリーン１３の外縁部１３Ｅが保持部材２８に接触しなくなり、外縁部１３Ｅが円滑に移動するようになる。また、抜け止めレバー２７Ｂが案内位置に位置している状態において、外縁部１３Ｅが案内通路２１Ｇから抜け始めると、保持部材２８は、摩擦力と変形によって、外縁部１３Ｅを保持し、外縁部１３Ｅの移動に合わせて出力部２４を変位させる。そして、出力部２４が抜け止め位置に位置しているとき、保持部材２８には、抜け止めレバー２７Ｆのカム径Ｒの最も大きい凸部２５Ｃの先端の先端によって、スクリーン１３の外縁部１３Ｅが圧接される。これにより、弾性体２８Ｂは、凸部２５Ｃの押圧力を受けて変形し、外縁部１３Ｅが凸部２５Ｃと弾性体２８Ｂとに挟まれることによって、スクリーン１３の外縁部１３Ｅが抜け止めされる。保持部材２８は、案内開口Ｇと反対側において、取付凹部２９からはみ出し、はみ出した部分が外縁部１３Ｅとの接触タイミングを早めている。
【００４３】
図４〜図７に示すように、抜け止めレバー２７Ｆ，２７Ｂのいずれの入力部２６も、出力部２４からスクリーン１３の中央部１３Ｃに向かって、かつ、スクリーン１３の前方に向かって延びる断面が円弧形状を有している。入力部２６は、昇降方向のほぼ全体にわたりその円弧形状の断面を連続させている。入力部２６の基端は、出力部２４に連続し、入力部２６は、出力部２４の揺動に合わせて入力部２６が揺動するように、出力部２４に固定されている。このように、抜け止めレバー２７Ｆと抜け止めレバー２７Ｂとは、ほぼ仮想鉛直面ＰＶに対して、互いに面対称に位置している。
【００４４】
なお、スクリーン１３の中央部１３Ｃが後方へ移動する力を出力部２４の揺動力として入力部２６が出力部２４に入力できる範囲であれば、入力部２６の有する形状や大きさは適宜変更することができる。例えば、入力部２６の有する形状は、出力部２４からスクリーン１３の中央部１３Ｃに向かって延びる平板形状であってもよいし、スクリーン１３の後方に向かって延びる断面が円弧形状を有していてもよい。また、入力部２６が有する曲率半径の大きさ、屈曲する角度の大きさ、および、左右方向に沿った長さもまた、上述した範囲が満たされることを条件として適宜変更することができる。例えば、図６が示す前側案内壁２１Ｆ側において、入力部２６が有する曲率半径Ｒａが大きいほど、また、入力部２６において屈曲する角度が小さいほど、さらには、左右方向における入力部２６の長さが長いほど、小さいスクリーン１３の変位を受けて入力部２６は作動する。反対に、入力部２６が有する曲率半径Ｒａが小さいほど、また、入力部２６において屈曲する角度が大きいほど、さらには、左右方向において入力部２６の長さが短いほど、入力部２６の作動に際して大きいスクリーン１３の変位が必要となる。
【００４５】
案内通路２１Ｇは、前側案内壁２１Ｆ側の抜け止めレバー２７Ｆと、後側案内壁２１Ｂ側の抜け止めレバー２７Ｂとの間に区画された空間である。抜け止めレバー２７Ｆのカム部２４Ｃ、および、抜け止めレバー２７Ｂのカム部２４Ｃとが案内位置に位置するとき、２つの抜け止めレバー２７Ｆ，２７Ｂの間の隙間は、保持部材２８と凸部２５Ｃとが離間することで設けられ、案内通路２１Ｇに入り込んだ外縁部１３Ｅが昇降方向に沿って移動することを可能にしている。これに対して、２つの抜け止めレバー２７Ｆ，２７Ｂが抜け止め位置に位置するとき、２つの抜け止めレバー２７Ｆ，２７Ｂは、案内通路２１Ｇに入り込んだ外縁部１３Ｅをカム径Ｒの最も大きい凸部２５Ｃと保持部材２８とによって挟持する。
【００４６】
［ロールスクリーンの抜け止め作用］
図８が示すように、スクリーン１３の外縁部１３Ｅが、案内通路２１Ｇに入り込んだ状態にて、抜け止めレバー２７Ｆのカム部２４Ｃ、および、抜け止めレバー２７Ｂのカム部２４Ｃの各々は、案内位置に位置している。案内位置に位置しているとき、少なくとも、カム径Ｒの最も大きい凸部２５Ｃと保持部材２８とは、非接触の状態にあり、案内通路２１Ｇを外縁部１３Ｅが移動可能な状態である。この状態から、スクリーン１３の面方向と交差する方向に向かう外力、例えば、スクリーン１３の中央部１３Ｃがスクリーン１３の後方へ張り出すような外力Ｆａがスクリーン１３に作用すると、スクリーン１３の外縁部１３Ｅは、案内通路２１Ｇから徐々に抜け始める。
【００４７】
この際に、スクリーン１３の中央部１３Ｃがスクリーン１３の後方へ移動すると、後側案内壁２１Ｂ側の抜け止めレバー２７Ｂの入力部２６において、入力部２６の外周面における接触部Ｋとスクリーン１３とが接触する。この状態から、スクリーン１３の中央部１３Ｃがスクリーン１３の後方に向けてさらに移動すると、入力部２６が外縁部１３Ｅに押されて揺動軸Ｃを中心として回転し始め、出力部２４も同方向に回転し始める。これにより、外縁部１３Ｅが保持部材２８と接触され、保持部材２８の摩擦力により保持される。そして、出力部が２４は、外縁部１３Ｅの移動に合わせて揺動軸Ｃを中心として回転される。
【００４８】
図９が示すように、抜け止めレバー２７Ｂの出力部２４が揺動軸Ｃを中心として回転すると、抜け止めレバー２７Ｂの出力部２４は、案内通路２１Ｇから抜ける途中のスクリーン１３の移動に追従して、案内位置から抜け止め位置へ変位する。また、抜け止めレバー２７Ｆ側の対向部分Ｔは、保持部材２８によって押された外縁部１３Ｅによって、出力部２４が揺動軸Ｃを中心として回転される。これにより、対向部分Ｔは、順に、入力部２６からカム径が最小の１段目の凸部２５Ａ、２段目の凸部２５Ｂ、カム径が最大の３段目の凸部２５Ｃに変位する。これにより、カム部２４Ｃは、外縁部１３Ｅとの摩擦力が順に高まる。最終的に、抜け止めレバー２７Ｆ側の凸部２５Ｃは、スクリーン１３の外縁部１３Ｅを、保持部材２８に圧接する。これにより、保持部材２８の弾性体２８Ｂは、凸部２５Ｃの押圧力を受けて変形する。そして、互いに対向する２つの対向部分Ｔは、抜け出る途中の外縁部１３Ｅを、高められた押圧力で押圧し、その外縁部１３Ｅを挟み込む。これによって、スクリーン１３が案内レール２１から抜けることが抑えられる。
【００４９】
なお、外縁部１３Ｅに加わる押圧によって、外縁部１３Ｅは、保持部材２８と凸部２５Ｃから摩擦力を受ける。一方で、スクリーン１３がこの摩擦力を越える張力を更に受けるとき、互いに対向する２つの対向部分Ｔは、これらの隙間からスクリーン１３が抜けることを許容する。この際に、スクリーン１３に対する外力が解除されると、抜け止めレバー２７Ｆのカム部２４Ｃ、および、抜け止めレバー２７Ｂのカム部２４Ｃの各々を抜け止め位置に固定するための力も解除される。結果として、抜け止めレバー２７Ｆのカム部２４Ｃ、および、抜け止めレバー２７Ｂのカム部２４Ｃの各々は、案内位置へ復帰する。
【００５０】
また、図８、および、図９とは逆に、スクリーン１３は、反矢印Ｆａ方向の外力によって、外縁部１３Ｅが抜け始めることもある。このような場合、最初に、抜け止めレバー２７Ｆの入力部２６において、入力部２６の外周面における接触部Ｋとスクリーン１３とが接触する。この状態から、スクリーン１３の中央部１３Ｃがスクリーン１３の前方に向けてさらに移動すると、接触部Ｋがスクリーン１３によって前方に向けて押され、入力部２６が揺動軸Ｃを中心として回転する。抜け止めレバー２７Ｆの出力部２４が揺動軸Ｃを中心として回転すると、抜け止めレバー２７Ｆの出力部２４は、案内通路２１Ｇから抜ける途中のスクリーン１３の移動に追従して、案内位置から抜け止め位置へ変位する。また、抜け止めレバー２７Ｂ側の対向部分Ｔは、入力部２６や凸部２５Ａ，２５Ｂ，２５Ｃに押された外縁部１３Ｅが保持部材２８に圧接される。そして、抜け止めレバー２７Ｂの出力部２４も、外縁部１３Ｅを介して保持部材２８に押されることで、揺動軸Ｃを中心に回転し、最終的に、凸部２５Ｃは、スクリーン１３の外縁部１３Ｅを、保持部材２８に圧接する。具体的に、弾性体２８Ｂは、凸部２５Ｃの押圧力を受けて変形し、外縁部１３Ｅが凸部２５Ｃと弾性体２８Ｂとに挟まれる。そして、互いに対向する２つの対向部分Ｔは、抜け出る途中の外縁部１３Ｅを、高められた押圧力で押圧し、その外縁部１３Ｅを挟み込む。これによって、スクリーン１３が案内レール２１から抜けることが抑えられる。
【００５１】
以上、上記実施形態のロールスクリーンによれば以下に列挙する効果が得られる。
（１）抜け止めレバー２７Ｆと抜け止めレバー２７Ｂとの間の案内通路２１Ｇからスクリーン１３の外縁部１３Ｅが抜け始めるとき、抜け止めレバー２７Ｆのカム部２４Ｃ、および、抜け止めレバー２７Ｂのカム部２４Ｃの各々は、スクリーン１３の外縁部１３Ｅと接触しながらスクリーン１３の移動に追従して移動する。そして、抜け止めレバー２７Ｆのカム部２４Ｃ、および、抜け止めレバー２７Ｂのカム部２４Ｃの各々は、案内位置から、外縁部１３Ｅに対する押圧力を高める抜け止め位置へ変位する。これにより、外縁部１３Ｅは、凸部２５Ｃと保持部材２８に挟まれることで、凸部２５Ｃと保持部材２８との間の隙間から外縁部１３Ｅの全てが抜けることが抑えられる。
【００５２】
（２）保持部材２８は、取付凹部２９に取り付けられているので、取り付け位置がずれることが抑制される。更に、保持部材２８が取付凹部２９内に配置されることで、保持部材２８の表面が入力部２６の外周面により突出することが抑えられる。これにより、後側案内壁２１Ｂ側のカム部２４Ｃが案内位置にあるときに、保持部材２８とスクリーン１３の外縁部１３Ｅとの接触が抑制され、スクリーン１３が円滑に昇降する。特に、保持部材２８の表面は、入力部２６の外周面より低く形成されているので、外縁部１３Ｅとの接触が一層抑制される。
【００５３】
（３）保持部材２８は、テープ基材２８Ａに弾性体２８Ｂを塗布して構成されている。したがって、テープ基材２８Ａを介して取付凹部２９に固定する際の密着性を高めることができる。また、テープ基材２８Ａを布等で構成することによって、保持部材２８の弾性特性が高められ、凸部２５Ｃとの密着性を高められる。
【００５４】
（４）弾性体２８Ｂは、シリコーン樹脂で形成されることで、樹脂コーティングがされていないスクリーン１３と直接接触する場合よりも、ポリ塩化ビニルで樹脂コーティングされている外縁部１３Ｅとの摩擦力が高められている。これにより、保持部材２８は、外縁部１３Ｅに樹脂コーティングが施されていない場合よりも、外縁部１３Ｅを摩擦によって確実に保持することができる。
【００５５】
（５）スクリーン１３の面方向と交差する方向に向かってスクリーン１３が変位するとき、スクリーン１３の変位量は、案内レール２１に入り込んでいる外縁部１３Ｅよりも、スクリーン１３の中央側において大きい。それゆえに、出力部２４よりもスクリーン１３の中央部１３Ｃに近い入力部２６は、こうしたスクリーン１３の変位を出力部２４の外周面よりも検出しやすい。そして、スクリーン１３の面方向と交差する方向に向かって動くスクリーン１３が入力部２６を押し、これによって出力部２４が回るため、スクリーン１３が張り出すことに対して、スクリーン１３の抜け止めの精度が高められる。
【００５６】
（６）上記（１）〜（５）によれば、手などによる外力がスクリーン１３に作用したときに、外縁部１３Ｅが、案内通路２１Ｇから外縁部１３Ｅの全てが抜けることが抑えられる。また、スクリーン１３の一方の面と他方の面で気圧差が発生し、低圧側にスクリーン１３が張り出すように移動したときにも、案内通路２１Ｇから外縁部１３Ｅの全てが抜けることが抑えられる。さらに、例えば、ウェイトバー１４の一方の側に偏った位置を持ってスクリーン１３の昇降操作が行われたときには、外縁部１３Ｅが撓んで、外縁部１３Ｅが案内通路２１Ｇから抜け出ようとする。このようにときにも、案内通路２１Ｇから外縁部１３Ｅの全てが抜けることが抑えられる。
【００５７】
上記実施形態は、以下のように変更して実施することもできる。
［復帰部］
・案内レール２１は、第１抜け止め部を抜け止め位置から案内位置に復帰させる復帰力を第１抜け止め部に作用させる復帰部をさらに備えてもよい。
【００５８】
例えば、図１０が示すように、下部キャップ３０における底壁３３には、復帰部を構成する前後一対の復帰スロープ３１を設けるようにしてもよい。前後一対の復帰スロープ３１は、支持面３０Ｓから連続し、かつ、閉塞部３２の支持面３０Ｓに対して前方上側に向けて緩やかに傾斜した傾斜面３１Ｓを備えている。前側に位置する復帰スロープ３１と、後側に位置する復帰スロープ３１とは、前後一対の復帰スロープ３１の前後方向における中間を通る仮想鉛直面ＰＶに対して、互いに面対称となる形状を有している。
【００５９】
図１１には、カム部２４Ｃが案内位置に位置する状態の抜け止めレバー２７Ｆが示され、カム部２４Ｃが案内位置に位置するとき、入力部２６の下面における先端は、復帰スロープ３１の傾斜面３１Ｓにおいて最も高さが低い部位、あるいは、下部キャップ３０の支持面３０Ｓと同じ高さに位置する。
【００６０】
そして、図１２が示すように、スクリーン１３の面方向と交差する方向である後方に向かってスクリーン１３の中央部１３Ｃが移動するとき、入力部２６の下面における先端は、スクリーン１３によって後方に向かって押される。結果として、入力部２６の下面における先端は、復帰スロープ３１の傾斜面３１Ｓに沿って前方に向かって移動し、抜け止めレバー２７Ｆ，２７Ｂ自体は、復帰スロープ３１の有する高さ分だけ上昇する。
【００６１】
このように、案内通路２１Ｇから外縁部１３Ｅが抜け始めるとき、抜け止めレバー２７Ｆ，２７Ｂの入力部２６の各々は、復帰スロープ３１の傾斜面３１Ｓに沿って上昇する。そして、抜け止めレバー２７Ｆ，２７Ｂのカム部２４Ｃ，２４Ｃの各々を抜け止め位置に保持する外力Ｆａがスクリーン１３から解除されると、抜け止めレバー２７Ｆ，２７Ｂは、自重に従って、復帰スロープ３１の傾斜面３１Ｓに沿って下降する。それゆえに、抜け止めレバー２７Ｆ，２７Ｂのカム部２４Ｃ，２４Ｃの各々は、抜け止め位置から案内位置へ自動的に復帰させることが可能となる。
【００６２】
なお、スクリーン１３に外力Ｆａが作用しない場合においても、カム部２４Ｃの位置は、例えば、指などが入力部２６に触れることによっても、案内位置から抜け止め位置へ変えられる。スクリーン１３のメンテナンスに際しては、スクリーン１３の外縁部１３Ｅを案内通路２１Ｇに通すことや、スクリーン１３の外縁部１３Ｅを案内通路２１Ｇで昇降させることが実施されるため、抜け止めレバー２７Ｆのカム部２４Ｃ、および、抜け止めレバー２７Ｂのカム部２４Ｃの各々は、案内位置に位置することが求められる。この際に、案内開口Ｇから通される指などが入力部２６に触れることによって、カム部２４Ｃが抜け止め位置へ誤って変位し、抜け止めレバー２７Ｆ，２７Ｂの状態がここで保たれ続けると、上述したメンテナンスにおいては不都合が生じる。この点で、上述した復帰スロープ３１を備える構成であれば、抜け止めレバー２７Ｆ，２７Ｂのカム部２４Ｃの各々は、抜け止めレバー２７Ｆ，２７Ｂの自重を作動力として案内位置へ復帰するため、ロールスクリーンのメンテナンス性も高まる。
【００６３】
・復帰スロープ３１の傾斜面３１Ｓの有する勾配は、一定であってもよいし、傾斜面３１Ｓにおける高さが高い部位ほど、大きい勾配を有する構成であってもよい。傾斜面３１Ｓにおける高さが高い部位ほど大きい勾配を有する構成であれば、抜け止めレバー２７Ｆ，２７Ｂの案内位置からの変位の開始が円滑に進行し、かつ、抜け止めレバー２７Ｆ，２７Ｂの抜け止め位置からの復帰の開始も円滑に進行する。
【００６４】
・傾斜面３１Ｓの形成される部位は、下部キャップ３０に限らず、例えば、ガイドフレーム２３Ｍであってもよいし軸支片２３Ｌであってもよい。
・抜け止めレバー２７Ｆ，２７Ｂを抜け止め位置から案内位置へ復帰させる復帰力は、抜け止めレバー２７Ｆ，２７Ｂの自重に限らず、例えば、抜け止めレバー２７Ｆ，２７Ｂを案内位置に向けて付勢する付勢力であってもよい。例えば、抜け止めレバー２７Ｆ，２７Ｂを案内位置に向けて付勢する付勢部材が復帰部として別途設けられてもよい。また、例えば、抜け止めレバー２７Ｆ，２７Ｂの入力部２６が弾性部材から形成され、抜け止めレバー２７Ｆ，２７Ｂが抜け止め位置に到達することによって入力部２６が弾性変形し、入力部２６に蓄積された弾性力が復帰力として機能してもよい。
【００６５】
［規制部］
・第１抜け止め部が移動する範囲を所定の範囲に規制するための規制部をさらに備えてもよい。
【００６６】
例えば、図１３では、ガイドフレーム２３Ｍの内部には、規制部５１が１つの抜け止めレバー２７Ｆ，２７Ｂに対して１つずつ備えられている。上述したように、抜け止めレバー２７Ｆ，２７Ｂの出力部２４は、出力部２４の左側端面が軸支片２３Ｌに当接するときに案内位置に配置され、出力部２４の右側端面が軸支片２３Ｌに当接するときに抜け止め位置に配置される。案内レール２１から抜ける途中の外縁部１３Ｅの移動を受けて入力部２６が移動するとき、揺動軸Ｃを中心として出力部２４は、案内位置から抜け止め位置に向けて移動する。この際、案内位置と抜け止め位置との間である仮止め位置を出力部２４は通過する。仮止め位置に位置する抜け止めレバー２７Ｆ，２７Ｂは、外縁部１３Ｅの抜けを止める程度の挟持力を外縁部１３Ｅに作用させ、仮止め位置において外縁部１３Ｅに作用する押圧力は、抜け止め位置において外縁部１３Ｅに作用する押圧力よりも小さい。図１３は、出力部２４が仮止め位置に位置する状態を示している。
【００６７】
案内位置から抜け止め位置に向けて出力部２４を移動させる入力部２６の移動は、揺動軸Ｃを中心とした作動方向に沿った移動である。上述した規制部５１は、抜け止めレバー２７Ｆ，２７Ｂの入力部２６に対して、入力部２６の作動方向に配置されている。
【００６８】
そして、案内位置に位置する出力部２４が抜け止め位置に向けて変位し、案内位置から移動する出力部２４が仮止め位置に到達するとき、抜け止めレバー２７Ｆ，２７Ｂの入力部２６と規制部５１とが当接する。これによって、案内位置から抜け止め位置に向けた抜け止めレバー２７Ｆ，２７Ｂの移動は、仮止め位置において規制される。すなわち、出力部２４の右側端面と軸支片２３Ｌとの間には、揺動軸Ｃを中心とする中心角である規制角θｒに相当する隙間が残され、この状態において、規制部５１は抜け止めレバー２７Ｆ，２７Ｂの回転を規制する。
【００６９】
なお、図１４が示すように、上述した規制部５１が備えられない構成においては、案内位置に位置する出力部２４が抜け止め位置に向けて変位するとき、案内位置から移動する出力部２４は、仮止め位置に相当する位置を通過してさらに回転し、出力部２４の右側端面と軸支片２３Ｌとが当接することによって、それの回転を止める。
【００７０】
結果として、規制部５１が備えられる構成であれば、外縁部１３Ｅに作用する押圧力を、抜け止め位置において作用する押圧力よりも抑えることが可能である。それゆえに、例えば、スクリーン１３を下降させて、２つの抜け止めレバー２７Ｆ，２７Ｂの間にスクリーン１３の外縁部１３Ｅを挿入する際には、その挿入に要するスクリーン１３の負荷を抑えることが可能であり、案内レール２１に対するスクリーン１３の挿脱を円滑に進めることが可能となる。
【００７１】
［保持部］
・保持部材２８の位置は、出力部２４のカム部２４Ｃだけでなく、カム部２４Ｃから入力部２６の表面である外周面にまで跨ってもよい。こうした保持部材２８の位置であれば、スクリーン１３の作用力が入力部２６に伝わりやすいため、スクリーン１３の抜けに対し、抜け止めレバー２７Ｂのカム部２４Ｃの各々は、案内位置から抜け止め位置へ変位しやすくなる。
【００７２】
・保持部材２８の表面は、入力部２６の外周面と面一でもよいし、外周面より高くてもよい。また、入力部２６の外周面より１段高くてもよい。また、保持部材２８の表面を入力部２６の外周面より高くするのであれば、取付凹部２９を設けなくてもよい。この場合、入力部２６の外周面に保持部材２８が配置されることになる。保持部材２８は、１枚である必要はなく、複数枚を、昇降方向、または、昇降方向に交差する方向に、間に隙間を設けて並べて配置してもよい。また、保持部材２８や保持部材２８の基材の形状は、テープ状に限定されるものではなく、円形形状や楕円形形状、矩形形状等であってもよい。
【００７３】
・保持部材２８が配置される出力部２４の外周面は、平坦な面であってもよいし、段差面であってもよい。
・保持部材２８を形成する材料は、スクリーン１３に対し高い摩擦係数を有する弾性体であれば、ゴム材等であってもよい。また、保持部材２８は、弾性体２８Ｂを、出力部２４を基材にして、直接設けるようにしてもよい。要は、保持部とは、案内レール２１から抜ける方向に移動する外縁部１３Ｅと接触し、外縁部１３Ｅとの摩擦によって外縁部１３Ｅを保持する機能を有していればよい。
【００７４】
［スクリーン］
・スクリーン１３は、布基材に、樹脂コーティングが施されていなくてもよいが、耐久性を向上させる観点から、樹脂コーティングが施されていることが好ましい。コーティング樹脂としては、例えば、軟質のポリ塩化ビニルが好ましいが、これに限定されるものではない。
【００７５】
・樹脂コーティングは、保持部材２８との摩擦や凸部２５Ｃとの摩擦力と高くする観点からは、少なくとも、外縁部１３Ｅに施されていればよい。
［凸構造］
・カム部２４Ｃに設けられる凸部２５Ａ，２５Ｂ，２５Ｃの数は、特に限定されるものではなく、１つでもよいし、２つでもよいし、４つ以上であってもよい。
【００７６】
・凸部２５Ａ，２５Ｂ，２５Ｃは、順に、カム径が大となり、最終段の凸部が外縁部１３Ｅを保持部材２８に圧接されるのであれば、最終．段の凸部２５Ｃより前段の凸部２５Ａ，２５Ｂは、保持部材２８と非接触であってもよい。また、凸部２５Ａ，２５Ｂは、凸部２５Ｃより弱い圧力で保持部材２８と接触してもよい。要は、凸構造は、外縁部１３Ｅに向けて突出する構造であって、抜け止めレバー２７Ｂが抜け止め位置に変位することによって、保持部材２８と外縁部１３Ｅとの間を狭め圧接させる機能を有していればよい。
【００７７】
［入力部］
入力部２６は、案内位置から抜け止め位置への移動開始時において少なくともスクリーン１３に押される形状を有していればよい。少なくとも抜け止めレバー２７Ｆ，２７Ｂの一方の入力部２６は、高摩擦な弾性体等の軟質体で形成するようにしてもよい。さらに、入力部２６が省略された場合、抜け止めレバー２７Ｆ，２７Ｂがカム部２４Ｃとの摩擦によって移動を開始する。
【００７８】
［案内通路］
凸部２５Ｃと保持部材２８との間に設けられる案内通路２１Ｇは、抜け止めレバー２７Ｆ，２７Ｂが案内位置に位置している状態において、外縁部１３Ｅが凸部２５Ｃおよび保持部材２８と非接触であることが好ましいが、外縁部１３Ｅが移動できる範囲で、接触していてもよい。
【００７９】
［保持部と凸構造との相対配置］
・例えば、抜け止めレバー２７Ｆに保持部材２８が設けられ、抜け止めレバー２７Ｂに凸部２５Ｃが設けられていてもよい。
【００８０】
・例えば、第１抜け止め部と第２抜け止め部とが、別々に１つずつ保持部を備えてもよい。具体的には、上記保持部材２８と同様の構成からなる他の保持部材を、抜け止めレバー２７Ｆのカム部２４Ｃが別途備えてもよい。この場合、３つの凸部２５Ａ，２５Ｂ，２５Ｃのなかの少なくとも２５Ｃを備えていればよい。このような構成によっても、（１）〜（６）に準じた効果を得ることができる。また、２つの保持部を備える構成であるから、スクリーン１３の抜けを抑える効果はさらに高まる。
【００８１】
・例えば、第１抜け止め部と第２抜け止め部とが、別々に１つずつ凸構造を備えてもよい。具体的には、上記３つの凸部２５Ａ，２５Ｂ，２５Ｃと同様の構成であって、少なくとも凸部２５Ｃと噛み合うことを可能にした他の凸構造を、抜け止めレバー２７Ｂの取付凹部２９が別途備え、この凸構造を覆うように保持部材２８が備えられてもよい。このような構成によっても、（１）〜（６）に準じた効果を得ることができる。また、２つの凸構造を備える構成であるから、スクリーン１３の抜けを抑える効果はさらに高まる。
【００８２】
・例えば、第２抜け止め部が保持部と凸構造とを備え、第１抜け止め部が保持部と凸構造との少なくとも一方を備えない構成であってもよい。具体的には、少なくとも凸部２５Ｃと同様の構造を取付凹部２９が備える。そして、抜け止めレバー２７Ｂが抜け止め位置に変位することによって、保持部材２８と外縁部１３Ｅとを取付凹部２９の凸部２５Ｃが圧接させる。このような構成によっても、（１）〜（６）に準じた効果を得ることができる。また、保持部と凸構造とが一方の抜け止め部に集約される構成であれば、他方の抜け止め部における構造の簡素化を図ることが可能でもある。
【００８３】
・例えば、第１抜け止め部と第２抜け止め部との各々が、保持部、および、凸構造を備えてもよい。具体的には、図１５が示すように、抜け止めレバー２７Ｆの出力部２４では、案内開口Ｇと反対側に凸構造となる凸部２５Ｃを形成し、案内開口Ｇ側に、取付凹部２９を形成し、取付凹部２９に、保持部材２８を形成する。抜け止めレバー２７Ｂの出力部２４では、案内開口Ｇと反対側に取付凹部２９を形成し、取付凹部２９に、保持部材２８を形成し、案内開口Ｇ側に、凸部２５Ｃを形成する。このような構成によっても、（１）〜（６）に準じた効果を得ることができる。また、２つの保持部材、および、２つの凸構造を備える構成であるから、スクリーン１３の抜けを抑える効果はさらに高まる。
【００８４】
なお、凸部の数は、複数であってもよい。また、抜け止めレバー２７Ｆ，２７Ｂにおいて、凸部２５Ｃと保持部材２８の位置は、逆であってもよい。
また、抜け止めレバー２７Ｆ，２７Ｂにおいて、凸部２５Ｃと保持部材２８の位置は同じにしてもよい。すなわち、抜け止めレバー２７Ｆ，２７Ｂにおいて、案内開口Ｇと反対側に凸部２５Ｃを形成し、案内開口Ｇ側に、保持部材２８を形成してもよい。また、これとは逆に、案内開口Ｇと反対側に保持部材２８を形成し、案内開口Ｇ側に、凸部２５Ｃを形成してもよい。
【００８５】
［抜け止めレバー］
・２つの抜け止めレバー２７Ｆ，２７Ｂのいずれか一方は、案内レール２１において固定されていてもよい。固定側は、案内レール２１の一部を構成することになる。例えば、図１６が示すように、保持部材２８を備えた抜け止めレバー２７Ｂのみが可動する場合には、抜け止めレバー２７Ｆに相当する固定された抜け止め部を、抜け止めレバー２７Ｂとの対向面となる前側案内壁２１Ｆの先端部に設ける。そして、前側案内壁２１Ｆの抜け止め部と抜け止めレバー２７Ｂの保持部材２８とで外縁部１３Ｅが挟まれるようにすればよい。この場合に、図１６が示すように、固定側には、入力部２６を設けないようにしてもよい。
【００８６】
これとは逆に、凸部２５Ｃを有する抜け止めレバー２７Ｆのみが可動する場合には、抜け止めレバー２７Ｂに相当する固定された抜け止め部を、抜け止めレバー２７Ｆとの対向面となる後側案内壁２１Ｂの先端部に設ける。後側案内壁２１Ｂの抜け止め部には、保持部材２８を設ける。そして、後側案内壁２１Ｂの抜け止め部の保持部材２８と抜け止めレバー２７Ｆの凸部２５Ｃとで外縁部１３Ｅが挟まれるようにすればよい。
【００８７】
・抜け止めレバー２７Ｆの出力部２４の有する形状は、昇降方向から見て扇形状に限らず、昇降方向から見て楕円形状であってもよく、また、出力部２４は、昇降方向から見て円形状である偏心カムであってもよい。要するに、抜け止めレバー２７Ｆの出力部２４の有する形状は、出力部２４が抜け止め位置に位置する状態において、出力部２４が案内位置に位置する状態よりも、外縁部１３Ｅに対する押圧力を高める形状であればよい。
【００８８】
・抜け止めレバー２７Ｆ，２７Ｂの昇降方向に沿った長さは、前側案内壁２１Ｆの昇降方向に沿った長さよりも短くてもよいし、また、後側案内壁２１Ｂの昇降方向に沿った長さよりも短くてもよい。この際に、前側案内壁２１Ｆ、あるいは、後側案内壁２１Ｂに沿って並ぶ複数の抜け止めレバー２７Ｆ，２７Ｂを備えることが好ましい。
【００８９】
・仮想鉛直面ＰＶに対して、前側案内壁２１Ｆ側の各部材の有する形状と、後側案内壁２１Ｂ側の各部材の有する形状とは、互いに面対称でなくてもよい。
・抜け止めレバー２７Ｆ，２７Ｂが有する入力部２６は、案内位置からの移動の開始において少なくともスクリーン１３に押される形状を有していればよい。
【００９０】
［取付対象］
・保持部は、第１抜け止め部、および、第２抜け止め部以外に備えられてもよい。この際に、２つの抜け止め部が割愛されてもよい。すなわち、外縁部１３Ｅ、および、案内レール２１のいずれか一方が取付対象であり、外縁部１３Ｅ、および、案内レール２１のなかの取付対象以外が接触対象である。そして、取付対象は、接触対象と対向する位置に取り付けられた保持部である保持部材２８を備え、案内レール２１から抜ける方向に移動する外縁部１３Ｅと案内レール２１との接触を通じ、保持部材２８と接触対象との摩擦によって、外縁部１３Ｅを案内レール２１に保持させる。
【００９１】
例えば、こうした保持部材２８は、案内レール２１の筐体に備えられてもよい。具体的には、図１７が示すように、前側案内壁２１Ｆは、スクリーン１３が移動するスリットＳを構成する先端部を昇降方向の全体にわたり後側案内壁２１Ｂに向けて折り曲げた折曲片を備えている。また、後側案内壁２１Ｂについても、スクリーン１３が移動するスリットＳを構成する先端部を昇降方向の全体にわたり前側案内壁２１Ｆに向けて折り曲げた折曲片を設ける。そして、折曲片の間には、スクリーン１３が昇降するスリットＳが設けられている。この場合には、抜け止めレバー２７Ｆ，２７Ｂを設けない構成とされる。そして、互いに対向する折曲片の先端部には、外縁部１３Ｅの抜け止めをする保持部材２８が配置される。保持部材２８は、高摩擦部材であり、外縁部１３Ｅが案内レール２１から抜ける方向である前方や後方に向けて外縁部１３Ｅが変位するとき、保持部材２８と外縁部１３Ｅとの摩擦を通じ、外縁部１３ＥがスリットＳから抜けることを抑制する。
【００９２】
また例えば、こうした保持部は、外縁部１３Ｅの表面に備えられてもよい。具体的には、図１８が示すように、保持部材２８は、スクリーン１３の外縁部１３Ｅの表面に取り付けられている。この場合にあっても、外縁部１３Ｅが案内レール２１から抜ける方向である前方や後方に向けて外縁部１３Ｅが変位するとき、保持部材２８とスリットＳの開口端との摩擦を通じ、外縁部１３ＥがスリットＳから抜けることを抑制できる。この場合、保持部材２８は、スクリーン１３が案内レール２１から引き出されていない状態において、案内レール２１内の外部から見えない位置に設けられる。図１８では、スクリーン１３の縁１３ＫからスリットＳの若干内側の位置まで設けられている。このように、保持部材２８は、案内レール２１において長めに設けることによって、外縁部１３Ｅが案内レール２１から抜ける方向に移動し始めたとき、保持部材２８とスリットＳの開口端との摩擦が長く続くようにして、外縁部１３ＥがスリットＳから抜けることを抑制する。また、保持部材２８は、スリットＳの若干内側の位置まで設けることで、抜け始めて直ぐに開口端との摩擦が発生するようにすることができる。
【００９３】
なお、保持部材２８は、スクリーン１３の縁１３Ｋ近傍のみに設けてもよい。また、保持部材２８は、抜け始める前の状態において、スリットＳの開口端と重なる位置や開口端の外側まで設けられていてもよい。さらに、保持部材２８は、スリットＳの開口端の若干内側にだけ設けてもよい。
【００９４】
［抜け止め部と取付対象］
・図１９が示すように、前側案内壁２１Ｆの内面と後側案内壁２１Ｂの内面には、抜け止め部の一例である抜け止め曲板８１Ｆ，８１Ｂを設けるようにしてもよい。具体的に、前側案内壁２１Ｆの内面は、支持部８１を備え、支持部８１のスクリーン１３の中央側の角部には、昇降方向に沿って延びる半円筒形状を有した抜け止め曲板８１Ｆが突き出ている。後側案内壁２１Ｂの内面も、支持部８１を備え、支持部８１のスクリーン１３の中央側の角部には、昇降方向に沿って延びる半円筒形状を有した抜け止め曲板８１Ｂが突き出ている。抜け止め曲板８１Ｆ，８１Ｂは、スクリーン１３の外縁部１３Ｅの側に自由端を備えている。抜け止め曲板８１Ｆ，８１Ｂは、可撓性を有する弾性片であり、抜け止め曲板８１Ｆ，８１Ｂと支持部８１との接続する部分である接続部Ｃ１を支点として曲がるように構成されている。
【００９５】
抜け止め曲板８１Ｆにて、最も後側案内壁２１Ｂに近い部位は、外縁部１３Ｅとの接触部Ｋであり、抜け止め曲板８１Ｂにて、最も前側案内壁２１Ｆに近い部位も外縁部１３Ｅとの接触部Ｋである。これら２つの接触部Ｋは、互いに対向している。２つの接触部Ｋは、ロールスクリーンの左右方向において、接続部Ｃ１よりもスクリーン１３の外縁部１３Ｅ側に位置している。案内通路２１Ｇは、抜け止め曲板８１Ｆと抜け止め曲板８１Ｂとの間の空間である隙間によって構成され、２つの接触部Ｋの間の隙間は、スクリーン１３の厚さ以下に設定されている。２つの接触部Ｋの間の隙間は、案内通路２１Ｇに入り込んだ外縁部１３Ｅの昇降方向に沿った移動を許容する大きさに設定されている。２つの接触部Ｋは、案内通路２１Ｇに入り込んだ外縁部１３Ｅと接触し、スクリーン１３が昇降方向に沿って昇降するとき、スクリーン１３の外縁部１３Ｅと摺接する。抜け止め曲板８１Ｆ，８１Ｂの取り得る位置のうち、２つの接触部Ｋが外縁部１３Ｅの昇降を許容する位置は、案内位置である。これに対して、図１９の二点鎖線が示すように、抜け止め曲板８１Ｆ，８１Ｂの取り得る位置のうち、２つの接触部Ｋが案内位置よりもスクリーン１３の中心側に変位した位置は、抜け止め位置である。
【００９６】
スクリーン１３の外縁部１３Ｅには、両面に保持部材２８が設けられている。なお、保持部材２８は、片面だけに設けられていてもよい。保持部材２８は、スクリーン１３が案内レール２１から引き出されていない状態において、案内レール２１内の外部から見えない位置に設けられる。図１９では、スクリーン１３の縁１３Ｋから抜け止め曲板８１Ｆ，８１Ｂの対向位置より若干内側の位置まで設けられている。このように、保持部材２８は、案内レール２１において長めに設けることによって、外縁部１３Ｅが案内レール２１から抜ける方向に移動し始めたとき、保持部材２８と抜け止め曲板８１Ｆ，８１Ｂとの摩擦が長くつつくようにして、外縁部１３ＥがスリットＳから抜けることを抑制する。
【００９７】
なお、保持部材２８は、スクリーン１３の縁１３Ｋ近傍のみに設けてもよい。また、保持部材２８は、抜け始める前の状態において、スリットＳの開口端に重なる位置や開口端の外側まで設けられていてもよい。さらに、保持部材２８は、抜け止め曲板８１Ｆ，８１Ｂの若干内側に設けるだけにしてもよい。また、保持部材２８は、抜け止め曲板８１Ｆ，８１Ｂの若干内側の位置まで設けることで、抜け始めて直ぐに開口端との摩擦が発生するようにすることができる。
【００９８】
そして、スクリーン１３の外縁部１３Ｅが抜け始めるとき、スクリーン１３との摩擦力に抗した反力によって、抜け止め曲板８１Ｆが案内位置から抜け止め位置に変位する。このとき、抜け止め曲板８１Ｆは、それの接続部Ｃ１を支点として、スクリーン１３の中央側に張出すように曲がる。曲がった抜け止め曲板８１Ｆは、接触部Ｋを後側案内壁２１Ｂに向けて突き出す方向に弾性力を高める。また、抜け止め曲板８１Ｂもまた、案内位置から抜け止め位置に変位し、接触部Ｋを前側案内壁２１Ｆに向けて突き出す方向に弾性力を高める。抜け止め曲板８１Ｆ，８１Ｂは、各々の弾性変形を通じて、案内位置と抜け止め位置とに変位するように構成されている。そして、抜け止め曲板８１Ｆ，８１Ｂが抜け止め位置に位置するとき、２つの接触部Ｋには、スクリーン１３の外縁部１３Ｅの保持部材２８が接触する。これにより、２つの接触部Ｋにおける摩擦力が高まり、外縁部１３Ｅが案内通路２１Ｇから抜けにくくなる。
【００９９】
なお、上述した構成において、保持部材２８は、２つの抜け止め曲板８１Ｆ，８１Ｂの少なくとも一方における先端部に取り付けられてもよく、この際には、外縁部１３Ｅから保持部材２８が割愛されてもよい。また、２つの抜け止め曲板８１Ｆ，８１Ｂのいずれか一方を割愛し、固定部としてもよい。
【０１００】
・図２０が示すように、前側案内壁２１Ｆの内面と後側案内壁２１Ｂの内面には、抜け止め部の一例である抜け止めカム８６Ｆ，８６Ｂを設けるようにしてもよい。具体的に、前側案内壁２１Ｆの内面は、支持部８１を備え、支持部８１は、前側案内壁２１Ｆにおける昇降方向のほぼ全体にわたる柱形状を有している。支持部８１は、昇降方向から見て勾玉形状を有した抜け止めカム８６Ｆを、回転自在に支持している。抜け止めカム８６Ｆは、後側案内壁２１Ｂに向かって突き出る勾玉形状を、前側案内壁２１Ｆにおける昇降方向のほぼ全体にわたり有している。抜け止めカム８６Ｆのカム面は、昇降方向から見て、後側案内壁２１Ｂに向かって突き出る湾曲面であり、昇降方向に沿って延びる中心軸Ｃ２を揺動中心としてカム面を揺動するように構成されている。
【０１０１】
また、後側案内壁２１Ｂの内面も、支持部８１を備え、支持部８１は、後側案内壁２１Ｂにおける昇降方向のほぼ全体にわたる柱形状を有している。支持部８１は、昇降方向から見て勾玉形状を有した抜け止めカム８６Ｂを、回転自在に支持している。抜け止めカム８６Ｂは、前側案内壁２１Ｆに向かって突き出る勾玉形状を、後側案内壁２１Ｂにおける昇降方向のほぼ全体にわたり有している。抜け止めカム８６Ｂのカム面は、昇降方向から見て、前側案内壁２１Ｆに向かって突き出る湾曲面であり、昇降方向に沿って延びる中心軸Ｃ２を揺動中心としてカム面を揺動するように構成されている。
【０１０２】
図２０の実線が示すように、抜け止めカム８６Ｆ，８６Ｂの取り得る位置のうち、抜け止めカム８６Ｆ，８６Ｂのカム面が最も外縁部側である位置は、案内位置である。これに対して、図２０の二点鎖線が示すように、抜け止めカム８６Ｆ，８６Ｂの取り得る位置のうち、抜け止めカム８６Ｆ，８６Ｂのカム面が案内位置よりもスクリーン１３の中心側に変位した位置は、抜け止め位置である。なお、支持部８１は、案内位置でのカム面がそれよりも外縁部側に変位することを、支持部８１の規制部８１Ｅと抜け止めカム８６Ｆ，８６Ｂとの当接によって規制する。
【０１０３】
抜け止めカム８６Ｆが案内位置に位置するとき、抜け止めカム８６Ｆのカム面にて、最も後側案内壁２１Ｂに近い部位は、外縁部１３Ｅとの接触部Ｋであり、抜け止めカム８６Ｂのカム面にて、最も前側案内壁２１Ｆに近い部位は、外縁部１３Ｅとの接触部Ｋである。これら２つの接触部Ｋは、互いに対向している。２つの接触部Ｋは、ロールスクリーンの左右方向において、中心軸Ｃ２よりもスクリーン１３の外縁部１３Ｅ側に位置している。案内通路２１Ｇは、抜け止めカム８６Ｆと抜け止めカム８６Ｂとの間の空間である隙間によって構成され、２つの接触部Ｋの間の隙間は、スクリーン１３の厚さ以下に設定されている。２つの接触部Ｋの間の隙間は、案内通路２１Ｇに入り込んだ外縁部１３Ｅの昇降方向に沿った移動を許容する大きさに設定されている。２つの接触部Ｋは、案内通路２１Ｇに入り込んだ外縁部１３Ｅと接触し、スクリーン１３が昇降方向に沿って昇降するとき、２つの接触部Ｋは、スクリーン１３の外縁部１３Ｅと摺接する。抜け止めカム８６Ｆ，８６Ｂが抜け止め位置に位置する状態では、抜け止めカム８６Ｆ，８６Ｂが案内位置に位置する状態よりも、それの中心軸Ｃ２と接触部Ｋとの間の距離は大きい。
【０１０４】
スクリーン１３の外縁部１３Ｅには、両面に保持部材２８が設けられている。なお、保持部材２８は、片面だけに設けられていてもよい。保持部材２８は、スクリーン１３が案内レール２１から引き出されていない状態において、案内レール２１内の外部から見えない位置に設けられる。図２０では、スクリーン１３の縁１３Ｋから抜け止めカム８６Ｆ，８６Ｂの対向位置より若干内側の位置まで設けられている。このように、保持部材２８は、案内レール２１において長めに設けることによって、外縁部１３Ｅが案内レール２１から抜ける方向に移動し始めたとき、保持部材２８と抜け止めカム８６Ｆ，８６Ｂとの摩擦が長く続くようにして、外縁部１３ＥがスリットＳから抜けることを抑制する。
【０１０５】
なお、保持部材２８は、スクリーン１３の縁１３Ｋ近傍のみに設けてもよい。また、保持部材２８は、抜け始める前の状態において、スリットＳの開口端に重なる位置や開口端の外側まで設けられていてもよい。さらに、保持部材２８は、抜け止め曲板８１Ｆ，８１Ｂの若干内側に設けるだけにしてもよい。また、保持部材２８は、抜け止め曲板８１Ｆ，８１Ｂの若干内側の位置まで設けることで、抜け始めて直ぐに開口端との摩擦が発生するようにすることができる。
【０１０６】
抜け止めカム８６Ｆが案内位置から抜け止め位置に変位するとき、抜け止めカム８６Ｆは、それの中心軸Ｃ２を回転中心として、スクリーン１３の中央側に向けてカム面を回す。スクリーン１３の中央側に向けて回るカム面は、接触部Ｋを後側案内壁２１Ｂに向けて突き出す方向に変位する。また、抜け止めカム８６Ｂが案内位置から抜け止め位置に変位するとき、抜け止めカム８６Ｂは、それの中心軸Ｃ２を回転中心として、スクリーン１３の中央側に向けてカム面を回す。スクリーン１３の中央側に向けて回るカム面は、接触部Ｋを前側案内壁２１Ｆに向けて突き出す方向に変位する。抜け止めカム８６Ｆ，８６Ｂは、各々の揺動を通じて、案内位置と抜け止め位置とに変位するように構成されている。そして、抜け止めカム８６Ｆ，８６Ｂが抜け止め位置に位置するとき、２つの接触部Ｋには、スクリーン１３の外縁部１３Ｅの保持部材２８が接触する。これにより、２つの接触部Ｋにおける摩擦力が高まり、外縁部１３Ｅが案内通路２１Ｇから抜けにくくなる。
【０１０７】
なお、上述した構成において、保持部材２８は、２つの抜け止めカム８６Ｆ，８６Ｂの少なくとも一方における先端部であって、抜け止めカム８６Ｂが案内位置から抜け止め位置に変位するとき、保持部材２８と外縁部１３Ｅとが接触する位置に取り付けられてもよい。この際には、外縁部１３Ｅから保持部材２８が割愛されてもよい。
【０１０８】
また、保持部材２８は、抜け止めカム８６Ｆ，８６Ｂの少なくとも一方の先端部に設けるようにしてもよい。この場合、スクリーン１３の外縁部１３Ｅにも保持部材２８を設けてもよいし、抜け止めカム８６Ｆ，８６Ｂだけとしてもよい。また、２つの抜け止めカム８６Ｆ，８６Ｂのいずれか一方を割愛し、固定部としてもよい。
【０１０９】
・巻き取り軸１２を有する回転機構は、操作チェーンを用いてもよい。この場合、巻き取り軸１２は、操作チェーンの巻き取り操作によって正転し、操作チェーンの引き出し操作によって逆転する。巻き取り軸１２の正転は、巻き取り軸１２の周方向に沿ってスクリーン１３を巻き取り軸１２に巻き取り、巻き取り軸１２の逆転は、巻き取り軸１２に巻き取られたスクリーン１３を巻き取り軸１２から引き出す。巻き取り軸１２を回転させる機構がモーターを備える電動式である構成においては、モーターの回転する方向を切り替える操作スイッチが操作部として具体化される。
【符号の説明】
【０１１０】
１１…枠体、１２…巻き取り軸、１３…スクリーン、１３Ｃ…中央部、１３Ｅ…外縁部、１４…ウェイトバー、１５…ハンドル、１７…レールベース、１７Ｂ…保持溝、１７Ｆ…係合溝、１８Ｂ…保持片、１８Ｆ…係合片、１９…フレーム、１９Ａ…下部フレーム、２１…案内レール、２１Ｂ…後側案内壁、２１Ｆ…前側案内壁、２１Ｇ…案内通路、２３Ｌ…支軸片、２４…出力部、２４Ａ…軸部、２４Ｃ…カム部、２５Ａ〜２５Ｃ…凸部、２６…入力部、２７Ｆ，２７Ｂ…抜け止めレバー、２８…保持部材、２８Ａ…テープ基材、２８Ｂ…弾性体、２９…取付凹部、２９Ａ…段差、３０…下部キャップ、３０Ｓ…支持面、３１Ｓ…傾斜面、３３…底壁、３４Ｆ…前側支持片、３４Ｂ…後側支持片、３５…切欠部、Ｃ…揺動軸、Ｒ…カム径、Ｇ…案内開口、ＰＶ…仮想鉛直面。
【図１】
0006510300.tif 000002
【図２】
0006510300.tif 000003
【図３】
0006510300.tif 000004
【図４】
0006510300.tif 000005
【図５】
0006510300.tif 000006
【図６】
0006510300.tif 000007
【図７】
0006510300.tif 000008
【図８】
0006510300.tif 000009
【図９】
0006510300.tif 000010
【図１０】
0006510300.tif 000011
【図１１】
0006510300.tif 000012
【図１２】
0006510300.tif 000013
【図１３】
0006510300.tif 000014
【図１４】
0006510300.tif 000015
【図１５】
0006510300.tif 000016
【図１６】
0006510300.tif 000017
【図１７】
0006510300.tif 000018
【図１８】
0006510300.tif 000019
【図１９】
0006510300.tif 000020
【図２０】
0006510300.tif 000021